(57)【要約】【課題】  各従業員に対する多様な労務情報を簡単に一元管理する労務管理システムを提供する。【解決手段】  労務管理システム１０は、従業員の労務に関する情報が付され、従業員が携帯するバーコード表１３と、従業員が携帯し、バーコード表から前記労務に関する情報を読み取るバーコード読取端末１１と、従業員に携帯されたバーコード読取端末と通信し、バーコード読取端末から読み取った労務に関する情報を取得するサーバ１２を備え、サーバは前記労務に関する情報を集計し、一元管理する。【選択図】  図１０
2014241085.tif 000002
【特許請求の範囲】
【請求項１】
従業員の労務に関する情報が付され、従業員が携帯するバーコード表と、
従業員が携帯し、前記バーコード表から前記労務に関する情報を読み取るバーコード読取端末と、
従業員に携帯された前記バーコード読取端末と通信し、前記バーコード読取端末から読み取った前記労務に関する情報を取得するサーバを備え、
前記サーバは前記労務に関する情報を集計し、一元管理する労務管理システム。
【請求項２】
従業員は運送業務を行い、
前記労務に関する情報は、運送拠点外における従業員の労務に関する情報が含まれる請求項１に記載の労務管理システム。
【請求項３】
従業員はトラックを用いて運送業務を行い、
前記労務に関する情報は、従業員の出退勤情報、トラックの出帰庫情報、トラックの始業点検情報、出発点呼情報の少なくとも１つを含む請求項１または請求項２に記載の労務管理システム。
【請求項４】
前記従業員の出退勤情報は、従業員の出勤時刻と、従業員の退勤時刻と、休憩時間とを含み、
前記トラックの出帰庫情報は、配達物のトラックへの積込開始時刻と、トラックの車庫からの出庫時刻と、トラックの車庫への帰庫時刻とを含む請求項３に記載の労務管理システム。
【請求項５】
前記サーバは、
前記従業員の従業員の出勤時刻と前記従業員の退勤時刻と前記休憩時間とから従業員の実労働時間を演算する勤務時間演算手段と、
前記実労働時間を所定の基準値と比較し、前記実労働時間が所定の基準値を超えているか否かを判定する実労働時間判定手段と、
判定結果に基づき、前記実労働時間が基準値を超えている従業員を特定する情報を表示させる表示指示手段と、
を備える請求項４に記載の労務管理システム。
【請求項６】
前記サーバは、
前記従業員の出勤時刻と前記配達物のトラックへの積込開始時刻とから、従業員が業務を開始する時間を演算する業務開始時間演算手段と、
前記従業員が業務を開始する時間を所定の基準値と比較し、前記従業員が業務を開始する時間が所定の基準値を超えているか否かを判定する業務開始時間判定手段と、
判定結果に基づき、前記従業員が業務を開始する時間が基準値を超えている従業員を特定する情報を表示させる表示指示手段と、
を備える請求項４に記載の労務管理システム。
【請求項７】
前記サーバは、
前記従業員の配達物のトラックへの積込開始時刻と前記トラックの車庫からの出庫時刻とから、配達物の単位数量当たりの積込時間を演算する積込時間演算手段と、
前記積込時間を所定の基準値と比較し、前記積込時間が所定の基準値を超えているか否かを判定する積込時間判定手段と、
判定結果に基づき、前記積込時間が基準値を超えている従業員を特定する情報を表示させる表示指示手段と、
を備える請求項４に記載の労務管理システム。
【請求項８】
前記サーバは、
前記車庫への帰庫時刻と前記従業員の退勤時刻とから、従業員の終業時間を演算する終業時間演算手段と、
前記終業時間を所定の基準値と比較し、前記終業時間が所定の基準値を超えているか否かを判定する終業時間判定手段と、
判定結果に基づき、前記終業時間が基準値を超えている従業員を特定する情報を表示させる表示指示手段と、
を備える請求項４に記載の労務管理システム。
【請求項９】
配達物に付されたバーコードから配達物を特定する情報を読み取る前記バーコード読取端末と、前記バーコード読取端末と通信し前記バーコード読取端末が読み取った前記配達物を特定する情報を取得し、集計し、一元管理するサーバとを備えた配達管理システムを有する請求項１から８のいずれか１項に記載の労務管理システム。
【発明の詳細な説明】
【技術分野】
【０００１】
本発明は、労務管理システムに関するものであり、特にバーコードを用いた労務管理に関する。
【背景技術】
【０００２】
現在、運送業や宅配業の多くの事業主は、行政から従業員の勤務時間を短縮するよう求められている。
【０００３】
従来の労務管理は、出勤簿に従業員が必要事項を記載することで行われている。具体的には、各従業員は営業所に出勤した時間や退勤の時間、休憩時間などを出勤簿に記載し、また、ドライバーとなる従業員は法令で義務付けられたトラックの点検事項や健康状態のチェック事項なども出勤簿に記載している。さらに、トラックにタコグラフを設けてトラックの走行距離と運転休止時間を検出し、出勤簿に記録している。
【０００４】
しかし、このような紙の出勤簿による管理では、勤務状況の集計を行うため非常に手間と時間がかかる。また、複数の営業所に従業員が勤務している場合、労務情報の一元管理を行うことができなかった。
【０００５】
そこで、様々な労務管理システムが提案されている。特許文献１の労務管理システムは、各店舗に設けられた端末機に従業員毎の出退勤時刻を入力し、端末機からインターネットを介してサーバに従業員毎の出退勤時刻を送信して集計している。
【先行技術文献】
【特許文献】
【０００６】
【特許文献１】特開２００４−９４７９２号公報
【発明の概要】
【発明が解決しようとする課題】
【０００７】
しかし、運送業や宅配業においては、出退勤時刻以外にも、上述したようなトラックの点検事項や健康状態のチェック事項、休憩時間、トラックの出庫時間や帰庫時間、走行距離などを労務情報として一元管理し、従業員の一日の行動を把握して勤務時間の短縮や作業の効率化につなげたいという要望があるが、特許文献１では出退勤時間以外の労務情報に対応できない。また、宅配業においては、従業員はトラックで配達に出かけるため、営業所から離れた場所でも労務情報が入力できることが望ましいが、特許文献１のように各店舗に設けられた端末機に情報を入力させる場合には、従業員は営業所以外では労務情報を入力することができない。
【０００８】
本発明は、上記課題を解決するためになされたものであり、宅配業において、各従業員に対する多様な労務情報を簡単に一元管理する労務管理システムを提供するものである。
【課題を解決するための手段】
【０００９】
本発明に係る労務管理システムは、従業員の労務に関する情報が付され、従業員が携帯するバーコード表と、
従業員が携帯し、前記バーコード表から前記労務に関する情報を読み取るバーコード読取端末と、
従業員に携帯された前記バーコード読取端末と通信し、前記バーコード読取端末から読み取った前記労務に関する情報を取得するサーバを備え、
前記サーバは前記労務に関する情報を集計し、一元管理する。
【００１０】
本発明の労務管理システムによれば、バーコード表には労務に関する情報が付されており、従業員がバーコード読取端末を用いてバーコードを読み取ることで、複数の従業員からの多様な労務に関する情報をサーバにおいて簡単に一元管理できる。
【００１１】
従業員は運送業務を行い、
前記労務に関する情報は、運送拠点外における従業員の労務に関する情報が含まれてもよい。
【００１２】
従業員はバーコード表とバーコード読取端末を携帯しているので、従業員は運送拠点外にいる場合であっても場所にとらわれずに労務情報をバーコード端末に入力することができる。
【００１３】
従業員はトラックを用いて運送業務を行い、
前記労務に関する情報は、従業員の出退勤情報、トラックの出帰庫情報、トラックの始業点検情報、出発点呼情報の少なくとも１つを含むことが好ましい。
【００１４】
前記従業員の出退勤情報は、従業員の出勤時刻と、従業員の退勤時刻と、休憩時間とを含み、
前記トラックの出帰庫情報は、配達物のトラックへの積込開始時刻と、トラックの車庫からの出庫時刻と、トラックの車庫への帰庫時刻とを含むことが好ましい。
【００１５】
前記サーバは、
前記従業員の従業員の出勤時刻と前記従業員の退勤時刻と前記休憩時間とから従業員の実労働時間を演算する勤務時間演算手段と、
前記実労働時間を所定の基準値と比較し、前記実労働時間が所定の基準値を超えているか否かを判定する実労働時間判定手段と、
判定結果に基づき、前記実労働時間が基準値を超えている従業員を特定する情報を表示させる表示指示手段と、
を備える。
【００１６】
前記サーバは、
前記従業員の出勤時刻と前記配達物のトラックへの積込開始時刻とから、従業員が業務を開始する時間を演算する業務開始時間演算手段と、
前記従業員が業務を開始する時間を所定の基準値と比較し、前記従業員が業務を開始する時間が所定の基準値を超えているか否かを判定する業務開始時間判定手段と、
判定結果に基づき、前記従業員が業務を開始する時間が基準値を超えている従業員を特定する情報を表示させる表示指示手段と、
を備える。
【００１７】
前記サーバは、
前記従業員の配達物のトラックへの積込開始時刻と前記トラックの車庫からの出庫時刻とから、配達物の単位数量当たりの積込時間を演算する積込時間演算手段と、
前記積込時間を所定の基準値と比較し、前記積込時間が所定の基準値を超えているか否かを判定する積込時間判定手段と、
判定結果に基づき、前記積込時間が基準値を超えている従業員を特定する情報を表示させる表示指示手段と、
を備える。
【００１８】
前記サーバは、
前記従業員のトラックの車庫からの出庫時刻と前記車庫への帰庫時刻とから、配達物の配達時間を演算する積込時間演算手段と、
前記配達時間を所定の基準値と比較し、前記配達時間が所定の基準値を超えているか否かを判定する配達時間判定手段と、
判定結果に基づき、前記配達時間が基準値を超えている従業員を特定する情報を表示させる表示指示手段と、
を備える。
【００１９】
前記サーバは、
前記車庫への帰庫時刻と前記従業員の退勤時刻とから、従業員の終業時間を演算する終業時間演算手段と、
前記終業時間を所定の基準値と比較し、前記終業時間が所定の基準値を超えているか否かを判定する終業時間判定手段と、
判定結果に基づき、前記終業時間が基準値を超えている従業員を特定する情報を表示させる表示指示手段と、
を備える。
【００２０】
このように、サーバに集計した従業員の労務に関する情報を用いて、勤務時間から休憩時間を除いた時間である実労働時間、従業員が出勤してから実際に業務を開始するまでの時間に相当する業務を開始する時間、従業員が配達物をトラックに積み込むために必要な時間に相当する配達物のトラックへの積込時間、トラックの車庫からの出庫時刻から車庫への帰庫時刻までの時間に相当する配達物の配達時間、従業員が配達を終えた後の後処理を行う時間に相当する従業員の終業時間を演算し、各時間が所定の基準値を超えているか否かを判定する。
【００２１】
この構成によれば、サーバは、業務効率の悪い従業員、すなわち、実労働時間が長く残業が多い、出勤してから業務を開始するまでの時間が長い、配達物のトラックへの積込が遅い、配達物の配達に時間がかかりすぎている、配達を終えて帰庫してから退勤までの時間が長い、などに該当する従業員を抽出することができ、業務効率を改善するよう従業員に対して個別の指導を行うことができる。このように従業員毎に業務効率の改善を指導することで、勤務時間の短縮や残業時間の圧縮に繋がり、経費を削減することが可能となる。
【００２２】
本発明の労務管理システムは、配達物に付されたバーコードから配達物を特定する情報を読み取る前記バーコード読取端末と、前記バーコード読取端末と通信し前記バーコード読取端末が読み取った前記配達物を特定する情報を取得し、集計し、一元管理するサーバとを備えた配達管理システムを有することが好ましい。
【００２３】
前記構成によれば、本発明の労務管理システムのバーコード読取端末とサーバは、配達管理システムのバーコード読取端末とサーバとの兼用である。運送業や宅配業において、バーコードを用いた配達管理システムは従来から行われている配達管理であり、運送業者や宅配業者は既にバーコード読取端末とサーバを備えている場合が多い。このため、新たな端末機等の設備投資をしなくてもシステムの追加導入だけ本発明の労務管理システムを導入することができる。また、宅配業の従業員は、宅配業務で使い慣れているバーコード読取端末を用いて労務情報を入力するので、宅配の業務効率を低下させることなく手軽に労務情報を入力することができる。
【発明の効果】
【００２４】
本発明の労務管理システムによれば、バーコード表には労務に関する情報が付されており、従業員はバーコード読取端末を用いてバーコードを読み取るので、複数の従業員からの多様な労務に関する情報をサーバにおいて簡単に一元管理できる。
【図面の簡単な説明】
【００２５】
【図１】本発明の労務管理システムの全体構成を示す図である。
【図２】バーコード読取端末の構成を示すブロック図である。
【図３】バーコード読取端末の制御部によって実現される機能構成を示す機能ブロック図である。
【図４】バーコード読取端末の労務情報テーブルの例である。
【図５】表示部に表示される指示の例である。
【図６】サーバの構成を示すブロック図である。
【図７】サーバの制御部によって実現される機能構成を示す機能ブロック図である。
【図８】サーバの労務情報テーブルの例である。
【図９】バーコード表の例である。
【図１０】従業員の出勤から退勤までの行動のイメージ図である。
【図１１】サーバに労務情報を収集するフローチャートである。
【図１２】勤務時間演算手段及び勤務時間判定手段の処理を示すフローチャートである。
【図１３】実労働時間演算手段及び実労働時間判定手段の処理を示すフローチャートである。
【図１４】業務開始時間演算手段及び業務開始時間判定手段の処理を示すフローチャートである。
【図１５】配達物の単位数量当たりの積込時間演算手段及び配達物の積込時間判定手段の処理を示すフローチャートである。
【図１６】配達物の配達時間演算手段及び配達物の配達時間判定手段の処理を示すフローチャートである。
【図１７】終業時間演算手段及び終業時間判定手段の処理を示すフローチャートである。
【図１８】サーバの労務情報テーブルの例である。
【発明を実施するための形態】
【００２６】
以下、本発明に係る労務管理システム１０の一実施形態について添付図面を参照して説明する。なお、図中同一または相当部分には同一符号を付し、その説明は省略する。
【００２７】
本発明の労務管理システム１０は、例えば、運送業務や宅配業務に適用される。図１は、第１実施形態における本発明の労務管理システム１０の全体構成を示す図である。労務管理システム１０は、バーコード読取端末１１と、サーバ１２と、従業員の労務に関する情報（労務情報）が付されたバーコード表１３から構成されている。バーコード読取端末１１とバーコード表１３は複数の従業員よって携帯され、サーバ１２は事務所に配置されている。バーコード読取端末１１とサーバ１２は通信ネットワーク１４を介して接続されている。通信ネットワーク１４として、例えば、ＩＥＥＥ１３９４、ＵＳＢ（Universal Serial Bus）、ＬＡＮ（Local Area Network）、電力線通信（ＰＬＣ：Power Line Communications）、無線通信、光通信等を適用してもよい。
【００２８】
従業員はバーコード表１３の労務情報をバーコード読取端末１１に読み取らせる。読み取られた労務情報はバーコード読取端末１１に蓄積され、通信ネットワーク１４を介してサーバ１２に送られる。サーバ１２では、複数のバーコード読取端末１１から送られてきた労務情報を取得し集計して一元管理している。
【００２９】
本発明の労務管理システム１０が備えるバーコード読取端末１１及びサーバ１２は、運送業務で従来から行われているバーコードによる配達物の配達管理システムに用いるバーコード読取端末及びサーバと兼用している。すなわち、従業員はバーコード読取端末１１で配達管理のために配達物に付されたバーコードから配達物を特定する情報を読み取るとともに、同じバーコード読取端末１１で労務情報を読み取る。サーバ１２は配達物を特定する情報をバーコード読取端末１１から受信するとともに、労務情報もバーコード読取端末１１から受信する。
【００３０】
バーコード読取端末１１の構成を図２を参照して説明する。図２はバーコード読取端末１１の構成を示すブロック図である。バーコード読取端末１１は、入力部１１１、撮像部１１２、制御部１１３、記憶部１１４、通信インターフェース部１１５、表示部１１６を備えている。
【００３１】
入力部１１１はバーコード読取端末１１の本体部の前面に設けられ、テンキー、電源キー、バーコードの撮影を開始するためのトリガーキーなどから構成されている。従業員がトリガーキーを押すと、トリガーキーからバーコード読取指令が制御部１１３に送信される。
【００３２】
撮像部１１２は、例えばＣＣＤ（電荷結合素子）カメラ、ＣＭＯＳ（相補型金属酸化物半導体）センサまたはイメージスキャナにより構成される。撮像部１１２は、バーコード読取端末１１の上端に設けられたバーコード読取窓（図示せず）を介してバーコード表１３のバーコードから労務情報を読み取り、また、配達物に付されたバーコードから配達物を特定する情報を読み取る。
【００３３】
制御部１１３は、例えばＣＰＵやワークエリアとなるメモリなどから構成されている。制御部１１３はメモリに記憶されているプログラムを実行することにより、バーコード読取端末１１の各部を制御するとともに、図３に示す機能（後述）を実現する。
【００３４】
記憶部１１４は、例えばフラッシュメモリや不揮発性メモリなどの記憶装置から構成され、バーコードから読み取った従業員のＩＤや労務情報などを記憶する。記憶部には、労務情報を記憶するための「労務情報テーブル」Ｔ１が作成される。
【００３５】
図４に「労務情報テーブル」Ｔ１の例を示す。テーブルＴ１には、従業員の出退勤情報、トラックの出帰庫情報を記録している。従業員の出退勤情報として、従業員の出勤時刻と、従業員の退勤時刻と、休憩時間とをテーブルＴ１に記録し、トラックの出帰庫情報として、配達物のトラックへの積込開始時刻、トラックの車庫からの出庫時刻、トラックの車庫への帰庫時刻をテーブルＴ１に記録している。図４のこれらの情報は、従業員がバーコード読取端末１１を用いてバーコード表１３より読み込むものである。
【００３６】
図４の例以外にも、労務情報として、トラックの始業点検情報、出発点呼情報などを含んでもよく、トラックの始業点検情報とは、トラックのブレーキ状態の良否、タイヤ状態の良否、灯火装置の動作の良否などを含み、出発点呼情報とは、免許証の携帯の有無、健康状態の良否、飲酒をしているか否か、の情報を含んでもよい。さらに、労務情報として、完了情報、集荷情報、集荷下ろし情報、トラックの運転休止時間、車両番号、同乗者の有無、同乗者がある場合の同乗者のＩＤ，集配区域、天候、出庫地、出庫時のメータ、帰庫時のメータ、道路の運行状況、高速道路の使用の有無、フォークリフト使用の有無、給油時メータ、冷蔵室、冷凍室それぞれについて配達物の保冷状態の良否、積載状況の良否、室温状態の良否、湿度状態の良否、を含んでいてもよい。
【００３７】
通信インターフェース部１１５は、通信ネットワーク１４を介した通信を行うための通信装置などから構成され、通信ネットワーク１４を介してサーバ１２と通信する。
【００３８】
表示部１１６はバーコード読取端末１１の本体部前面に設けられ、例えばＬＣＤ（液晶表示ディスプレイ）である。図５は表示部１１６に表示される指示の例であり、表示部には、従業員に出されるバーコード読取の指示や、読み取ったバーコードの情報が表示される。
【００３９】
制御部１１３はメモリに記憶されているプログラムを実行することにより、図３に示すように、バーコード情報取得手段１１３１、時刻取得手段１１３２、記憶手段１１３３、送信手段１１３４としての機能を実現する。
【００４０】
バーコード情報取得手段１１３１は、入力部１１１からのバーコード読取指令に基づき撮像部１１２を動作させてバーコードの情報を取得する。
【００４１】
時刻取得手段１１３２は時計を備えており、撮像部１１２がバーコードを読み取った時刻を取得する。
【００４２】
記憶手段１１３３は、読み取ったバーコードの情報とバーコードを読み取った時刻を記憶部１１４に記憶させる。
【００４３】
送信手段１１３４は記憶部１１４に記憶したバーコードの情報や時刻を通信インターフェース部１１５を介してサーバ１２に送信する。
【００４４】
なお、バーコード読取端末１１においては、制御部１１３がプログラムを実行することで各機能が論理的に実現されるが、これらの機能を、例えば、ＡＳＩＣ（Application Specific Integrated Circuit:特定用途向け集積回路）などの物理的な構成によって実現してもよい。後述するサーバ１２の制御部においても同様である。
【００４５】
次に、サーバ１２の構成を図６を参照して説明する。サーバ１２はパソコンやワークステーションなどの情報処理装置から構成され、通信インターフェース部１２１、入力部１２２、制御部１２３、記憶部１２４、表示部１２５、を備えている。
【００４６】
通信インターフェース部１２１は、通信ネットワーク１４を介した通信を行うための通信装置などから構成され、例えばルータ、モデムなどの通信装置である。通信ネットワーク１４を介してバーコード読取端末１１と通信する。
【００４７】
入力部１２２は、キーボードやマウスなどから構成され、制御部１２３が演算を実行するよう制御部１２３に指令を出す。
【００４８】
制御部１２３は、例えばＣＰＵやワークエリアとなるメモリなどから構成されている。制御部はメモリに記憶されているプログラムを実行することにより、サーバ１２の各部を制御するとともに、図７に示す機能（後述）を実現する。
【００４９】
記憶部１２４は、例えばハードディスク装置やフラッシュメモリなどの記憶装置から構成され、複数のバーコード読取端末１１から送信された労務情報を記憶する。
【００５０】
図８は記憶部１２４に記憶される情報である「労務情報テーブル」Ｔ２の例である。図８に示すテーブルＴ２には、バーコード読取端末１１を携帯する従業員のＩＤ毎にバーコード読取端末１１が読み取った労務情報が記憶される。労務情報の詳細は、バーコード読取端末１１の記憶部１１４に記憶された労務情報と同じであるため説明を省略する。
【００５１】
表示部１２５は、例えばディスプレイ装置であり、制御部１２３の処理結果などを表示する。
【００５２】
制御部１２３はメモリに記憶されているプログラムを実行することにより、図７に示すような情報取得手段１２３１、記憶手段１２３２、演算手段１２３３、判定手段１２３４、表示指示手段１２３５としての機能を実現する。
【００５３】
情報取得手段１２３１は、バーコード読取端末１１から送信される「労務情報テーブル」Ｔ１に記載された情報を通信インターフェース部１２１を介して取得している。
【００５４】
記憶手段１２３２は、通信インターフェース部１２１を介して取得した情報を記憶部１２４に記憶させる。
【００５５】
演算手段１２３３は、入力部１２２から演算の指令を受け取ると、「労務情報テーブル」Ｔ２に記載された情報を用いて、所定の演算を行う。演算手段１２３３は、各従業員の勤務時間（出勤時刻から退勤時刻までの間の時間）を演算する勤務時間演算手段１２３３ａと、各従業員の実労働時間（勤務時間から休憩時間を除いた時間）を演算する実労働時間演算手段１２３３ｂと、各従業員が業務を開始する時間（各従業員の出勤時刻から配達物のトラックへの積込開始時刻までの時間）を演算する業務開始時間演算手段１２３３ｃと、各従業員の配達物の単位数量当たりの積込時間（各従業員の配達物のトラックへの積込開始時刻からトラックの車庫からの出庫時刻までの時間を配達物の単位の数量で割ることにより求めた時間）を演算する積込時間演算手段１２３３ｄと、各従業員の配達物の配達時間（トラックの車庫からの出庫時刻から車庫への帰庫時刻までの時間）を演算する配達時間演算手段１２３３ｅと、各従業員の終業時間（トラックの車庫への帰庫時刻から従業員の退勤時刻までの時間）を演算する終業時間演算手段１２３３ｆとから構成される。
【００５６】
また、判定手段１２３４は、各従業員の勤務時間が所定の基準値よりも長いか否かを判定する勤務時間判定手段１２３４ａと、各従業員の実労働時間が所定の基準値よりも長いか否かを判定する実労働時間判定手段１２３４ｂと、各従業員が業務を開始する時間が所定の基準値よりも長いか否かを判定する業務開始時間判定手段１２３４ｃと、各従業員の配達物の単位数量当たりの積込時間が所定の基準値よりも長いか否かを判定する配達物の積込時間判定手段１２３４ｄと、各従業員の配達物の配達時間が所定の基準値よりも長いか否かを判定する配達物の配達時間判定手段１２３４ｅと、各従業員の終業時間が所定の基準値よりも長いか否かを判定する終業時間判定手段１２３４ｆとから構成される。
【００５７】
表示指示手段１２３５は、各判定手段１２３４により判定された各従業員の勤務時間、実労働時間、従業員が業務を開始する時間、積込時間、配達時間、終業時間が、それぞれ所定の基準値よりも長いと判定手段が判定した場合に、各従業員のＩＤと各従業員の勤務時間、実労働時間、業務を開始する時間、積込時間、配達時間、終業時間をそれぞれ表示部１２５に表示させる。
【００５８】
なお、勤務時間演算手段１２３３ａは、各従業員の勤務時間を演算すると同時に、各従業員の勤務時間と基準値との差を演算し、表示指示手段１２３５は各従業員のＩＤとともに各従業員の勤務時間と基準値との差を表示部１２５に表示させてもよい。
【００５９】
また、表示指示手段１２３５は、各従業員のＩＤと各従業員の勤務時間と基準値との差を、勤務時間と基準値との差が大きい順に表示部１２５に表示させてもよい。
【００６０】
同様に、実労働時間演算手段１２３３ｂ、業務開始時間演算手段１２３３ｃ、積込時間演算手段１２３３ｄ、配達時間演算手段１２３３ｅ、終業時間演算手段１２３３ｆにおいても、それぞれ各時間と基準値との差を演算してもよく、表示指示手段１２３５は各従業員のＩＤと各時間と基準値との差とを、各時間と基準値との差が大きい順に表示部１２５に表示させてもよい。
【００６１】
図９にバーコード表１３の例を示す。バーコード表１３は、シートの表面に労務情報に対応したバーコードが印刷されたものであり、従業員により携帯されている。上段は従業員の出退勤情報とトラックの出帰庫情報に対応するバーコードである。従業員が出勤時にバーコード表１３の「出勤」のバーコードをバーコード読取端末１１で読み取ると、バーコード読取端末１１の記憶部１１４には、従業員が出勤したことを示す出勤情報が記憶される。また、従業員が配達物のトラックへの積込を開始する際に、バーコード読取端末１１で「積込」のバーコードをバーコード読取端末１１で読み取ると、バーコード読取端末１１の記憶部１１４には、従業員が配達物の積込を開始したことを示す積込情報が記憶される。同様に、「出庫」「帰庫」「退勤」についても、それぞれバーコードをバーコード読取端末１１で読み取ると、トラックが出庫したことを示す出庫情報、トラックが帰庫したことを示す帰庫情報、従業員が退勤したことを示す退勤情報が記憶部１１４に記憶される。
【００６２】
中段は休憩、運転休止に関するバーコードであり、従業員が配達中に運送拠点外で休憩を取る際には、「休憩」のバーコードをバーコード読取端末１１で読み取ると共に、下段にある「時間（分）」のバーコードのうち該当する休憩時間をバーコードで読み取る。例えば３０分の休憩を取る際には、「休憩」のバーコードを読み取った後、「３０分」のバーコードを読み取ることで、バーコード読取端末１１の記憶部１１４に休憩時間が３０分であることが記憶される。
【００６３】
なお、各情報のバーコードをバーコード読取端末１１で読み取った際に、制御部１１３の時刻取得手段１１３２はバーコードを読み取った時刻をバーコード読取端末１１の記憶部１１４に記憶させているが、時刻取得手段１１３２を用いずに、下段にあるようなバーコード表１３に示された時刻バーコードをバーコード読取端末１１で読み取ってもよい。また、バーコード表１３の時刻バーコードで読み取った時刻と、時刻取得手段１１３２を用いて取得した時刻の両方を記憶部１１４に記憶させてもよい。
【００６４】
同様に、トラックの始業点検情報や出発点呼情報についてもバーコード表１３が作成され、従業員により携帯されている。
【００６５】
次に、本発明のシステムの動作について説明する。
【００６６】
図１０は各従業員が出勤してから退勤するまでの従業員の行動のイメージ図である。出勤した際に社員証に付されたバーコードから自分のＩＤをバーコード読取端末１１に読み取り、バーコード読取端末１１にＩＤを記憶させる。次に、バーコード表から出勤情報をバーコード読取端末１１で読み取る。同様に、従業員が配達物のトラックへの積込、トラックの出庫、休憩、トラックの帰庫、退勤の行動を行うときに、バーコード読取端末１１によって該当するバーコードを読み取ることが示されている。
【００６７】
図１１〜図１７はシステムが実行する労務情報の一元管理処理を説明するためのフローチャートであり、労務情報の例として、従業員の出退勤情報と、トラックの出帰庫情報のうち配達物のトラックへの積込開始時刻と、トラックの車庫からの出庫時刻および帰庫時刻とを一元管理処理する流れについて説明する。
【００６８】
図１１は従業員がバーコード読取端末１１によりバーコードを読み取り、サーバ１２に情報を収集する処理のフローチャートである。
【００６９】
従業員は営業所に出勤すると、社員証などに付された従業員のＩＤのバーコードをバーコード読取端末１１で読み取る（ステップＳ１０１）。これにより、バーコード読取端末１１に自分のＩＤが記憶され、これ以降、バーコード読取端末１１から労務情報がサーバ１２に送信されるときに、従業員のＩＤも同時に送信される。なお、従業員のＩＤのバーコードを読み取るかわりに、バーコード読取端末１１の入力部１１１からＩＤを入力してもよい。
【００７０】
次に、従業員はバーコード表１３から「出勤」のバーコードをバーコード読取端末１１で読み取る（ステップＳ１０２）。
【００７１】
バーコード読取端末１１は、時刻取得手段１１３２によりバーコード読取端末１１がバーコードを読み取った時刻を取得する（ステップＳ１０３）。
【００７２】
次に、バーコード読取端末１１の送信手段１１３４は、「出勤」の情報、バーコード端を読み取った時刻、従業員のＩＤと共にサーバ１２に送信する（ステップＳ１０４）。
【００７３】
サーバ１２はこれらの情報を通信インターフェース部１２１を介して受信し（ステップＳ２０１）、記憶部１２４に記憶する（ステップＳ２０２）。
【００７４】
従業員が配達物のトラックへの積込を開始するときは、バーコード表１３から「積込」のバーコードをバーコード読取端末１１で読み取る（ステップＳ１０５）。
【００７５】
バーコード読取端末１１は、時刻取得手段１１３２によりバーコード読取端末１１がバーコードを読み取った時刻を取得する（ステップＳ１０６）。
【００７６】
バーコード読取端末１１の送信手段１１３４は、「積込」の情報、バーコードを読み取った時刻、従業員のＩＤと共にサーバ１２に送信する（ステップＳ１０７）。
【００７７】
サーバ１２はこれらの情報を通信インターフェース部１２１を介して受信し（ステップＳ２０３）、記憶部１２４に記憶する（ステップＳ２０４）。
【００７８】
次に、配達物の積込が完了し従業員が配達に出発する際には、従業員はバーコード表１３から「出庫」のバーコードをバーコード読取端末１１で読み取る（ステップＳ１０８）。
【００７９】
バーコード読取端末１１の送信手段１１３４は、時刻取得手段１１３２によりバーコード読取端末１１がバーコードを読み取った時刻を取得する（ステップＳ１０９）。
「出庫」の情報、バーコードを読み取った時刻、従業員のＩＤと共にサーバ１２に送信する（ステップＳ１１０）。
【００８０】
サーバ１２はこれらの情報を通信インターフェース部１２１を介して受信し（ステップＳ２０５）、記憶部１２４に記憶する（ステップＳ２０６）。
【００８１】
次に、従業員は休憩を取得する際に、バーコード表１３から「休憩」のバーコードをバーコード読取端末１１で読み取ると共に、「休憩時間」をバーコード表１３から選択して読み取る（ステップＳ１１１）。例えば、「休憩」のバーコードと休憩時間として「３０分」のバーコードを読み取る。
【００８２】
バーコード読取端末１１は、時刻取得手段１１３２によりバーコード読取端末１１がバーコードを読み取った時刻を取得する（ステップＳ１１２）。なお、本実施形態では「休憩時間」もバーコードで読み取っているため、時刻取得手段１１３２によりバーコードを読み取った時刻は後述する演算手段での演算には使用しないが、バーコード読取端末１１はバーコードを読み取るたびにバーコードを読み取った時刻を記憶している。
【００８３】
バーコード読取端末１１の送信手段１１３４は、「休憩」「休憩時間」の情報、バーコードを読み取った時刻、従業員のＩＤと共にサーバ１２に送信する（ステップＳ１１３）。
【００８４】
サーバ１２はこれらの情報を通信インターフェース部１２１を介して受信し（ステップＳ２０７）、記憶部１２４に記憶する（ステップＳ２０８）。
【００８５】
さらに、従業員が配達から車庫に帰ってきたときは、バーコード表１３から「帰庫」のバーコードをバーコード読取端末１１で読み取る（ステップＳ１１４）。
【００８６】
バーコード読取端末１１は、時刻取得手段１１３２によりバーコード読取端末１１がバーコードを読み取った時刻を取得する（ステップＳ１１５）。
【００８７】
バーコード読取端末１１の送信手段１１３４は、「帰庫」の情報、バーコード読取端末１１で読み取った時刻、従業員のＩＤと共にサーバ１２に送信する（ステップＳ１１６）。
【００８８】
サーバ１２はこれらの情報を通信インターフェース部１２１を介して受信し（ステップＳ２０９）、記憶部１２４に記憶する（ステップＳ２１０）。
【００８９】
さらに、従業員が退勤するときは、バーコード表１３から「退勤」のバーコードをバーコード読取端末１１で読み取る（ステップＳ１１７）。
【００９０】
バーコード読取端末１１は、時刻取得手段１１３２によりバーコード読取端末１１がバーコードを読み取った時刻を取得する（ステップＳ１１８）。
【００９１】
バーコード読取端末１１の送信手段１１３４は、「退勤」の情報、バーコード読取端末１１で読み取った時刻、従業員のＩＤと共にサーバ１２に送信する（ステップＳ１１９）。
【００９２】
サーバ１２はこれらの情報を通信インターフェース部１２１を介して受信し（ステップＳ２１１）、記憶部１２４に記憶する（ステップＳ２１２）。
【００９３】
サーバ１２は、各従業員からこのような労務情報を集め、従業員のＩＤに各労務情報を対応付けることで、図８に示すような労務情報テーブルＴ２を作成し、記憶部１２４に記憶する。
【００９４】
図１２〜図１７は、サーバ１２の制御部１２３の演算手段１２３３、判定手段１２３４、表示指示手段１２３５の処理の流れを示すフローチャートである。
【００９５】
図１２は各従業員の勤務時間（出勤時刻から退勤時刻までの間の時間）を演算する勤務時間演算手段１２３３ａと勤務時間判定手段１２３４ａの動作を示すフローチャートである
サーバ１２の入力部１２２から制御部１２３の勤務時間演算手段１２３３ａに勤務時間演算指令が出されると（ステップＳ３０１）、勤務時間演算手段１２３３ａは記憶部１２４から出勤時刻及び退勤時刻を読み出し、各従業員の勤務時間を演算する（ステップＳ３０２）。
【００９６】
勤務時間判定手段１２３４ａは、演算した各従業員の勤務時間を所定の基準値（例えば、１６時間）と比較（ステップＳ３０３）する。基準値を超えている従業員は勤務時間が長すぎるとして、表示指示手段１２３５は表示部１２４に基準値を超えている従業員のＩＤと各従業員の勤務時間を表示させる（ステップＳ３０４）。
【００９７】
図１３は、各従業員の実労働時間（勤務時間から休憩時間を除いた時間）を演算する実労働時間演算手段１２３３ｂと実労働時間判定手段１２３４ｂの動作を示すフローチャートである。
【００９８】
サーバ１２の入力部１２２から制御部１２３の実労働時間演算手段１２３３ｂに実労働時間演算指令が出されると（ステップＳ４０１）、実労働時間演算手段１２３３ｂは記憶部１２４から出勤時刻、退勤時刻、休憩時間を読み出し、各従業員の実労働時間を演算する（ステップＳ４０２）。
【００９９】
実労働時間判定手段１２３４ｂは、演算した各従業員の実労働時間を所定の基準値と比較（ステップ４０３）する。基準値を超えている従業員は残業が多すぎるとして、表示指示手段１２３５は表示部１２５に基準値を超えている従業員のＩＤと各従業員の実労働時間を表示させる（ステップＳ４０４）。
【０１００】
図１４は、各従業員が業務を開始する時間（各従業員の出勤時刻から配達物のトラックへの積込開始時刻までの時間）を演算する業務開始時間演算手段１２３３ｃと業務開始時間判定手段１２３４ｃの動作を示すフローチャートである。業務を開始する時間は従業員が出勤してから実際に業務を開始するまでの時間に相当し、業務開始時間が長い従業員は業務に取り掛かるのが遅いことを意味する。
【０１０１】
サーバ１２の入力部１２２から制御部１２３の業務開始時間演算手段１２３３ｃに業務開始時間演算指令が出されると（ステップＳ５０１）、業務開始時間演算手段１２３３ｃは記憶部１２４から出勤時刻、配達物のトラックへの積込開始時刻を読み出し、各従業員の業務を開始する時間を演算する（ステップＳ５０２）。
【０１０２】
業務開始時間判定手段１２３４ｃは、演算した各従業員の業務を開始する時間を所定の基準値と比較（ステップ５０３）する。基準値を超えている従業員は出勤してから業務開始までの時間が長すぎるとして、表示指示手段１２３５は表示部１２５に基準値を超えている従業員のＩＤと各従業員の業務を開始する時間を表示させる（ステップＳ５０４）。
【０１０３】
図１５は、各従業員の配達物の単位数量当たりの積込時間（各従業員の配達物のトラックへの積込開始時刻からトラックの車庫からの出庫時刻までの時間を配達物の単位の数量で割ることにより求めた時間）を演算する積込時間演算手段１２３３ｄと配達物の積込時間判定手段１２３４ｄの動作を示すフローチャートである。積込時間は従業員が配達物をトラックに積み込むために必要な時間であり、配達物の単位数量当たりの時間である。
【０１０４】
サーバ１２の入力部１２２から制御部１２３の積込時間演算手段１２３３ｄに積込時間演算指令が出されると（ステップＳ６０１）、積込時間演算手段１２３３ｄは記憶部１２４から各従業員の配達物のトラックへの積込開始時刻、トラックの車庫からの出庫時刻を読み出し、さらに、配達物の配達管理システムによりサーバに送信された配達物を特定する情報から、各従業員が取り扱った配達物の個数をカウントする。各従業員の配達物のトラックへの積込開始時刻とトラックの車庫からの出庫時刻から、各従業員が配達物を積み込むために必要とした時間を求め、従業員が取り扱った配達物の個数で割ることで、各従業員の配達物の単位数量当たりの積込時間を演算する（ステップＳ６０２）。
【０１０５】
積込時間判定手段１２３４ｄは、演算した各従業員の配達物の単位数量当たりの積込時間を所定の基準値と比較し（ステップ６０３）、基準値を超えている従業員は配達物の積込に時間がかかりすぎているとして、表示指示手段１２３５は表示部１２５に基準値を超えている従業員のＩＤと各従業員の積込時間を表示させる（ステップＳ６０４）。
【０１０６】
図１６は、各従業員の配達物の配達時間（車庫からのトラックの出庫時刻から車庫への帰庫時刻までの時間）を演算する配達時間演算手段１２３３ｅと配達時間判定手段１２３４ｅの動作を示すフローチャートである。
【０１０７】
サーバ１２の入力部１２２から制御部１２３の配達時間演算手段１２３３ｅに配達時間演算指令が出されると（ステップＳ７０１）、配達時間演算手段１２３３ｅは記憶部１２４から各従業員のトラックの車庫からの出庫時刻、トラックの車庫への帰庫時刻を読み出し、各従業員の配達時間を演算する（ステップＳ７０２）。
【０１０８】
配達時間判定手段１２３４ｅは、演算した各従業員の配達時間を所定の基準値と比較し（ステップ７０３）、基準値を超えている従業員は配達物の配達に時間がかかりすぎているとして、表示指示手段１２３５は表示部１２５に基準値を超えている従業員のＩＤと各従業員の配達時間を表示させる（ステップＳ７０４）。この場合、積み込んだ配達物の個数に応じて基準値を定めることが好ましい。
【０１０９】
図１７は、各従業員の終業時間（トラックの車庫への帰庫時刻から従業員の退勤時刻までの時間）を演算する終業時間演算手段１２３３ｆと終業時間判定手段１２３４ｆの動作を示すフローチャートである。終業時間は従業員が配達を終えた後の後処理を行う時間に相当する。
【０１１０】
サーバ１２の入力部１２２から制御部１２３の終業時間演算手段１２３３ｆに終業時間演算指令が出されると（ステップＳ８０１）、終業時間演算手段１２３３ｆは記憶部１２４からトラックの車庫への帰庫時刻、従業員の退勤時刻を読み出し、各従業員の終業時間を演算する（ステップＳ８０２）。
【０１１１】
終業時間判定手段１２３４ｆは、演算した各従業員の終業時間を所定の基準値と比較し（ステップ８０３）、基準値を超えている従業員は後処理に時間がかかりすぎているとして、表示指示手段１２３５は表示部１２５に基準値を超えている従業員のＩＤと各従業員の終業時間を表示させる（ステップＳ８０４）。
【０１１２】
なお、本実施形態では、図１１のようにバーコード読取端末１１はバーコードを読み取るたびに労務情報をサーバ１２に送信しているが、読み取った労務情報をバーコード読取端末１１の記憶部１１４に保存しておき、一日の作業の終了時にサーバ１２に送信してもよい。また、1週間、１ヶ月など所定の時間単位毎にバーコード読取端末１１からサーバ１２に情報を送信してもよい。この場合、サーバ１２の記憶部には図１８に示すような日付のデータが入った労務情報テーブルＴ３が作成される。サーバ１２の制御部１２３の演算手段１２３３、判定手段１２３４は、この労務情報テーブルから情報を読み出し、各従業員の労務情報に対して、一週間単位や一ヶ月単位で上述した演算および判定を行ってもよい。
【０１１３】
また、本実施形態では通信ネットワーク１４を介してバーコード読取端末１１からサーバ１２に労務情報を送信しているが、バーコード読取端末１１とサーバ１２をＵＳＢなどで直接接続して労務情報をサーバ１２に蓄積させてもよい。また、バーコード読取端末１１はメモリカード等の記憶媒体を備え、バーコード読取端末１１が読み取った労務情報が記憶されたメモリカードをバーコード読取端末１１から取り出し、サーバ１２に接続することで、労務情報をサーバ１２に蓄積させてもよい。
【０１１４】
トラックの始業点検情報や出発点呼情報について労務管理を行う場合、従業員が携帯するバーコード表１３には、トラックの始業点検情報としてトラックのブレーキ状態の良否、タイヤ状態の良否、灯火装置の動作の良否などや、出発点呼情報として免許証の携帯の有無、健康状態の良否、飲酒をしているか否かなど、のそれぞれの情報についてのバーコードが付されている。
【０１１５】
従業員は、出勤後に始業点検としてトラックのブレーキ状態、タイヤ状態、灯火装置の動作等を点検し、これらの項目の良否についてバーコード読取端末１１でバーコードを読み込む。さらに、配達物を積み込んだ後の出発点呼時に、免許証の携帯の有無、健康状態の良否、飲酒をしているか否か等について確認し、これらの項目についてバーコード読取端末１１でバーコードを読み込む。
【０１１６】
これらの始業点検情報や出発点呼情報はバーコード読取端末１１からサーバ１２に送信され、サーバ１２の記憶部１２４に記憶されて一元管理される。サーバ１２の制御部１２３は、トラックのブレーキ状態判定手段、タイヤ状態判定手段、灯火装置の動作判定手段、免許証の携帯の有無の判定手段、健康状態判定手段、飲酒判定手段等として機能し、これらの項目の判定を行う。サーバ１２の制御部１２３の表示指示手段１２３５は、入力部１２２から判定結果の表示指令を受けると、各従業員のＩＤと判定結果を表示部１２５に表示させる。
【０１１７】
判定結果を表示部１２５に表示させるタイミングは、バーコード読取端末１１で読み取られた始業点検情報や出発点呼情報がサーバ１２に送信された後、トラックが出庫するまでの間であってもよい。これにより、監督者は健康状態が良好でない従業員など点検項目の規準を満たさない従業員を確認し、該当する従業員は勤務からはずすなどの対応を取ることができる。このとき、点検項目の規準を満たさない従業員のみを表示部１２５に表示させてもよい。
【０１１８】
また、バーコード読取端末１１の制御部１１３に、トラックのブレーキ状態判定手段、タイヤ状態判定手段、灯火装置の動作判定手段、免許証の携帯の有無の判定手段、健康状態判定手段、飲酒判定手段等を備え、バーコード読取端末１１でこれらの項目の判定を行い、判定結果をバーコード読取端末１１の表示部１１６に表示させてもよい。
【０１１９】
各従業員は始業点検情報や出発点呼情報をバーコード読取端末１１で読み取った後、トラックが出庫するまでに判定結果を表示部１１６に表示させる。監督者は各従業員のバーコード読取端末１１の表示部１１６をチェックして点検項目の規準を満たさない従業員を確認し、該当する従業員は勤務からはずすなどの対応を取ることができる。
【０１２０】
また、従業員が必要な情報をバーコードから読み取るのを忘れたり、バーコード読取端末１１がバーコードの読み取りに失敗するなどの原因により情報が記憶部１２４に記憶されていない場合、サーバ１２の制御部１２３は、情報が記憶部１２４に記憶されてない従業員のＩＤと再読み取りが必要な情報を表示部１２３に表示させてもよい。
【０１２１】
また、運送業や宅配業においては、運転日報を作成することが法令で義務付けられている。このため、サーバ１２は始業点検情報や出発点呼情報を含む労務情報から、運転日報の作成に必要な情報を選択し、運転日報として表示部１２５に表示させてもよい。また、サーバ１２にプリンタを接続して運転日報を紙にプリントアウトしてもよい。
【０１２２】
この運転日報は、トラックが出庫するまでに作成され、始業点検情報や出発点呼情報を判定するために用いられてもよく、また、従業員の退勤後に作成され、様々な労務情報を管理するため用いられてもよい。さらに、運転週報として一週間単位で作成されてもよい。
【０１２３】
また、トラックにデジタルタコグラフを設け、サーバ１２の通信インターフェース部１２１をデジタルタコグラフと通信可能とし、サーバ１２は、バーコード読取端末１１からの送信される労務情報と、デジタルタコグラフから送信される労務情報を組み合わせて、労務情報の管理を行ってもよい。
【０１２４】
詳細には、サーバ１２は、デジタルタコグラフから、トラックが出庫してから帰庫するまでの間に記録される労務情報、すなわち、トラックの走行データ、トラックの位置データ、出庫時刻、帰庫時刻、休憩時間、各作業場情報などの運行情報を受信し、記憶部１２４に記憶する。また、サーバ１２は、バーコード読取端末１１から、従業員が出勤してからトラックが出庫するまでに記録される情報、すなわち、出勤時刻や始業点検情報や出発点呼情報を受信するとともに、トラックが帰庫してから従業員が退勤するまでに記録される情報、すなわち、退勤時刻などを受信して、記憶部１２４に記憶する。サーバ１２はデジタルタコグラフから送信される労務情報と、バーコード読取端末１１から送信される労務情報とを用いて、労務情報の管理を行う。
【０１２５】
以上、本発明の実施形態について説明したが、本発明は上記実施形態に限定されるものではなく、その趣旨を逸脱しない限りにおいて、種々の変更が可能である。
【符号の説明】
【０１２６】
１０  労務管理システム
１１  バーコード読取端末
１１１  入力部
１１２  撮像部
１１３  制御部
１１４  記憶部
１１５  通信インターフェース部
１１６  表示部
１２  サーバ
１２１  通信インターフェース部
１２２  入力部
１２３  制御部
１２３１  情報取得手段
１２３２  記憶手段
１２３３  演算手段
１２３３ａ  勤務時間演算手段
１２３３ｂ  実労働時間演算手段
１２３３ｃ  業務開始時間演算手段
１２３３ｄ  積込時間演算手段
１２３３ｅ  配達時間演算手段
１２３３ｆ  終業時間演算手段
１２３４  判定手段
１２３４ａ  勤務時間判定手段
１２３４ｂ  実労働時間判定手段
１２３４ｃ  業務開始時間判定手段
１２３４ｄ  積込時間判定手段
１２３４ｅ  配達時間判定手段
１２３４ｆ  終業時間判定手段
１２３５  表示指示手段
１２４  記憶部
１２５  表示部
１３  バーコード表
１４  通信ネットワーク
Ｔ１，Ｔ２，Ｔ３  労務情報テーブル
【図２】
2014241085.tif 000003
【図３】
2014241085.tif 000004
【図４】
2014241085.tif 000005
【図５】
2014241085.tif 000006
【図６】
2014241085.tif 000007
【図７】
2014241085.tif 000008
【図８】
2014241085.tif 000009
【図９】
2014241085.tif 000010
【図１１】
2014241085.tif 000011
【図１２】
2014241085.tif 000012
【図１３】
2014241085.tif 000013
【図１４】
2014241085.tif 000014
【図１５】
2014241085.tif 000015
【図１６】
2014241085.tif 000016
【図１７】
2014241085.tif 000017
【図１８】
2014241085.tif 000018
【図１】
2014241085.tif 000019
【図１０】
2014241085.tif 000020